(57)【要約】【課題】無線アダプタより、無線信号として呼出信号、映像信号を受信するテレビインターホン無線増設親機において、呼出音出力されてから来客映像の表示が開始されるまでの遅延感を解消させることのできる無線対応型テレビインターホンシステムを提供する。【解決手段】カメラ付ドアホン子器１とテレビインターホン親機２とを信号線Ｌ１で接続し、更にテレビインターホン親機２に無線アダプタ３を接続して、テレビインターホン無線増設親機４を付加して構成された、無線対応型テレビインターホンシステムであって、無線増設親機４は、テレビモニタ４８と、来客待ち画像を蓄積したメモリ４６と、映像バッファ４７と、映像表示制御手段４０Ａとを備えており、映像表示制御手段４０Ａでは、カメラ付ドアホン子器１からの呼出を受付けると、伝送されて来る来客映像を映像バッファ４７に蓄積しながら、テレビモニタ４８には、来客待ち画像を表示しておき、来客映像が映像バッファ４７に蓄積された時点で、来客画像に切換えて映し出すようにしている。【選択図】図１
2006270782.tif 000002
【特許請求の範囲】
【請求項１】
カメラ付ドアホン子器とテレビインターホン親機とを信号線で接続し、更に該テレビインターホン親機に無線アダプタを接続して、テレビインターホン無線増設親機を付加して構成された、無線対応型テレビインターホンシステムであって、
上記無線増設親機は、
テレビモニタと、来客待ち画像を蓄積したメモリと、映像バッファと、映像表示制御手段とを備えており、
上記映像表示制御手段では、上記カメラ付ドアホン子器からの呼出を、上記テレビインターホン親機から上記無線アダプタを通じて受付けた後は、上記無線アダプタを通じて伝送されて来る来客映像を上記映像バッファに蓄積しながら、上記テレビモニタには、上記来客待ち画像を表示しておき、
上記来客映像が上記映像バッファに蓄積された時点で、上記テレビモニタに、上記蓄積された来客映像を切換えて映し出すようにしている無線対応型テレビインターホンシステム。
【請求項２】
カメラ付ドアホン子器とテレビインターホン親機とを信号線で接続し、更に該テレビインターホン親機に無線アダプタを接続して、テレビインターホン無線増設親機を付加して構成された、無線対応型テレビインターホンシステムであって、
上記テレビインターホン親機は、
テレビモニタと、
上記無線アダプタを通じて、上記テレビインターホン無線増設親機との間で無線信号を送受して、テレビインターホン無線増設親機の存在を確認する無線増設親機検出手段と、
呼出／映像制御手段とを備えており、
上記呼出／映像制御手段は、
ドアホン子器から呼出を受けたときに、無線増設親機検出手段によって、テレビインターホン無線増設親機が周囲に存在していることを確認したときには、、来客映像遅延表示モード、つまり呼出信号と、来客映像とを上記無線アダプターを通じて、上記テレビインターホン無線増設親機に伝送した後、該テレビインターホン無線増設親機から受信確認通知を受けたときに、呼出音を出力して、上記テレビモニタに来客映像を表示するようにしている無線対応型テレビインターホンシステム。
【請求項３】
請求項２において、
上記テレビインターホン無線増設親機は、テレビモニタと、呼出／映像制御手段とを備えており、
この呼出／映像制御手段は、
上記テレビインターホン親機から上記無線アダプタを通じて、ドアホン子器からの呼出信号と、来客映像との伝送を受付けたときには、上記無線アダプターを通じて、テレビインターホン親機に受信確認通知を送信した後、呼出音を出力して、上記モニタテレビに来客映像を表示するようにしている無線対応型テレビインターホンシステム。
【請求項４】
請求項２において、
上記テレビインターホン親機は、上記呼出／映像制御手段による上記来客映像遅延表示モードの実行を設定する手段を更に備えている無線対応型テレビインターホンシステム。
【発明の詳細な説明】
【技術分野】
【０００１】
本発明は、カメラ付ドアホン子器とテレビインターホン親機とを信号線で接続し、更に該テレビインターホン親機に無線アダプタを接続して、テレビインターホン無線増設親機を付加して構成された、無線対応型テレビインターホンシステムの改良に関する。
【背景技術】
【０００２】
この種の無線対応型テレビインターホンシステムは、一戸建住宅などで使用されている。
【０００３】
下記特許文献１は、この種の無線対応型テレビインターホンシステムを開示しており、カメラ付ドアホン子器を２線式信号線で接続したテレビインターホン親機と、このテレビインターホン親機に有線接続された無線アダプタと、この無線アダプタとの間で無線信号の送受をすることにより、テレビインターホン親機との間で信号送受を行うテレビインターホン無線増設親機とで構成されている。
【０００４】
この種のシステムでは、テレビインターホン親機がカメラ付ドアホン子器より呼出を受けた際には、無線アダプタに対して呼出信号、映像信号を送出し、これを受けた無線アダプタが呼出信号、映像信号を無線信号としてテレビインターホン無線増設親機に送出することによって、テレビインターホンの無線増設親機でも呼出音出力と、来客映像表示とを行わせるようにしている。
【特許文献１】特開２０００−２２４３１６号公報
【発明の開示】
【発明が解決しようとする課題】
【０００５】
ところで、このようなシステムにおいて、テレビインターホン親機と無線アダプタ間では、呼出信号、映像信号が有線を通じて伝送されるが、無線増設親機には、更に無線アダプタを通じて来客映像を伝送しなければならないため、無線増設親機では呼出信号を受信してから来客の映像信号を受信を完了するまでに一定時間がかかることがあり、家人に対して来客映像の表示に遅延感を与えている。このような問題は、伝送速度が数１００ｋｂｐｓ以下程度のデジタル伝送方式を採用した場合に顕著に発生していた。
【０００６】
本発明は、上記問題を解決するために提案され、無線アダプタより、無線信号として呼出信号、映像信号を受信するテレビインターホン無線増設親機において、呼出信号が通知されてから来客映像の表示が開始されるまでの遅延感を解消させることのできる無線対応型テレビインターホンシステムを提供することを目的とする。
【課題を解決するための手段】
【０００７】
上記目的を達成するため、第１，２の本発明を提案している。請求項１は第１の本発明を提案しており、カメラ付ドアホン子器とテレビインターホン親機とを信号線で接続し、更に該テレビインターホン親機に無線アダプタを接続して、テレビインターホン無線増設親機を付加して構成された、無線対応型テレビインターホンシステムであって、上記無線増設親機は、テレビモニタと、来客待ち画像を蓄積したメモリと、映像バッファと、映像表示制御手段とを備えており、上記映像表示制御手段では、上記カメラ付ドアホン子器からの呼出を、上記テレビインターホン親機から上記無線アダプタを通じて受付けた後は、上記無線アダプタを通じて伝送されて来る来客映像を上記映像バッファに蓄積しながら、上記テレビモニタには、上記来客待ち画像を表示しておき、上記来客映像が上記映像バッファに蓄積された時点で、上記テレビモニタに、上記蓄積された来客映像を切換えて映し出すようにしている。
【０００８】
請求項２〜４は第２の本発明を提案しており、請求項２では、カメラ付ドアホン子器とテレビインターホン親機とを信号線で接続し、更に該テレビインターホン親機に無線アダプタを接続して、テレビインターホン無線増設親機を付加して構成された、無線対応型テレビインターホンシステムであって、上記テレビインターホン親機は、テレビモニタと、上記無線アダプタを通じて、上記テレビインターホン無線増設親機との間で無線信号を送受して、テレビインターホン無線増設親機の存在を確認する無線増設親機検出手段と、呼出／映像制御手段とを備えており、上記呼出／映像制御手段は、ドアホン子器から呼出を受けたときに、無線増設親機検出手段によって、テレビインターホン無線増設親機が周囲に存在していることを確認したときには、来客映像遅延表示モード、つまり呼出信号と、来客映像とを上記無線アダプターを通じて、上記テレビインターホン無線増設親機に伝送した後、該テレビインターホン無線増設親機から受信確認通知を受けたときに、呼出音を出力して、上記テレビモニタに来客映像を表示するようにしている。
【０００９】
請求項３では、上記テレビインターホン無線増設親機は、テレビモニタと、呼出／映像制御手段とを備えており、この呼出／映像制御手段は、上記テレビインターホン親機から上記無線アダプタを通じて、ドアホン子器からの呼出信号と、来客映像との伝送を受付けたときには、上記無線アダプターを通じて、テレビインターホン親機に受信確認通知を送信した後、呼出音を出力して、上記モニタテレビに来客映像を表示するようにしている。
【００１０】
請求項４では、上記テレビインターホン親機は、上記呼出／映像制御手段による上記来客映像遅延表示モードの実行を設定する手段を更に備えている。
【発明の効果】
【００１１】
本発明によれば、テレビインターホン無線増設親機において、呼出信号が通知されてから来客映像の表示が開始されるまでの遅延感を解消させることができる。
【００１２】
特に、第２の本発明では、テレビインターホン親機は、テレビインターホン無線増設親機が来客の映像を表示出来るようになるまで、インターホン親機でも、呼出音の出力と来客映像の表示とを遅らせるため、見かけ上は、インターホン親機と増設無線親機の双方で同時に来客の映像の表示を開始することができるので、家人などがテレビインターホン無線増設親機の不具合を疑ったり、違和感を感じるようなことがない。
【００１３】
また、請求項４では、来客映像表示遅延モードの実行を、家人が使用目的に応じて任意で設定できるため、利便にできる。
【発明を実施するための最良の形態】
【００１４】
以下に、本発明の実施の形態について説明する。
【実施例１】
【００１５】
図１は、第１の本発明システムの基本構成の一例を示すブロック図である。第１の本発明では、インターホン親機２がドアホン子器１から呼出を受けると、テレビインターホン無線増設親機４には、呼出信号、映像信号が、無線アダプタ３を通じてインターホン親機２から送出されてくるが、呼出信号を受けたときには、呼出音を出力をして家人を呼び出し、映像信号が到着するまでの間は、予め準備した来客待ち画面をテレビモニタ４８に表示するようにしている。
【００１６】
すなわち、無線増設親機４では、呼出信号についで映像信号が送られてくると、映像バッファに映像信号を蓄積する動作を開始し、映像信号が少なくとも１フレーム分蓄積された時点で、蓄積した映像信号をテレビモニタ４８に表示している。
【００１７】
このような第１の本発明に係るシステムでは、カメラ付ドアホン子器１とテレビインターホン親機２とは２線式信号線Ｌ１を通じて接続され、更にテレビインターホン親機２には、制御線Ｌ２、音声信号入力線Ｌ３、音声信号出力線Ｌ４、映像信号入力線Ｌ５を通じて無線アダプタ３が接続され、テレビインターホン無線増設親機４と無線アダプタ３との間で、制御信号、音声信号、映像信号の送受を無線信号で行うようになっている。
【００１８】
カメラ付ドアホン子器１は、多重分離回路部１０、ＦＭ復調回路部１１、ＦＭ変調回路部１２、カメラ１３，呼出釦１４、スピーカＳＰ、マイクＭＩＣ、スピーカＳＰに入力される音声信号を増幅するアンプＡ１、マイクＭＩＣから入力される音声信号を増幅するアンプＡ２を備えている。
【００１９】
また、テレビインターホン親機２は、マイコン２２により制御されるスイッチング回路Ｓ１〜Ｓ３を備えている。
【００２０】
テレビインターホン親機２は、多重分離回路部２０、ＦＭ復調回路部２１、マイコン２２、インタフェース２３、操作部２４、テレビモニタ２５、カメラ付ドアホン子器１への駆動電源を給電する給電回路２６、ＦＭ変調回路部２７、スピーカＳＰ、マイクＭＩＣ、スピーカＳＰに入力される音声信号を増幅するアンプＡ１、マイクＭＩＣから入力される音声信号を増幅するアンプＡ２を備えている。
【００２１】
カメラ付ドアホン子器１とテレビインターホン親機２との間では、２線式信号線Ｌ１を通じ、制御信号、呼出信号、音声信号、映像信号、カメラ付ドアホン子器１への駆動電源が多重化され伝送されている。
【００２２】
図例では、無線アダプタ３は、マイコン３０、インタフェース３１、アンテナＡＮＴを有する無線送受信部３２を備え、インタフェース３１は、テレビインターホン親機２のインタフェース２３との間で、信号線Ｌ２〜Ｌ５を通じて、信号線Ｌ２〜Ｌ５のそれぞれで、制御信号、呼出信号、音声信号、映像信号の送受を行っているが、２線式信号線で接続して、それらを多重化して送受できるようにしてもよい。
【００２３】
テレビインターホン無線増設親機４は、映像表示制御手段４０Ａ、その他の信号処理部を構成するマイコン４０、操作部４１、アンテナＡＮＴを有する無線送受信部４２、多重分離回路部４３、ＦＭ復調回路部４４、ＦＭ変調回路部４５、来客待ち画面を格納するメモリ４６、受信した映像信号を蓄積する映像バッファ４７、テレビモニタ４８、スピーカＳＰ、マイクＭＩＣ、スピーカＳＰに入力される音声信号を増幅するアンプＡ１、マイクＭＩＣから入力される音声信号を増幅するアンプＡ２を備えている。
【００２４】
また、テレビインターホン無線増設親機４は、マイコン４０によって制御されるスイッチング回路Ｓ４〜Ｓ６を備え、多重分離回路４３との間で音声信号、映像信号を送受している。
【００２５】
無線アダプタ３とテレビインターホン無線増設親機４とは、それぞれのアンテナＡＮＴを通じて、制御信号、呼出信号、音声信号、映像信号が多重化され、無線信号で送受される。
【００２６】
ついで、このような構成のインターホンシステムの基本動作を説明する。
【００２７】
カメラ付ドアホン子器１で呼出釦１４の操作があれば、テレビインターホン親機２は、２線式信号線Ｌに加えられた待機電圧のレベル低下を検知するので、インターホン親機２は、２線式信号線Ｌに供給電源の電圧レベルを増大させて、カメラ付ドアホン子器１のカメラ１３を駆動させる。
【００２８】
この結果、テレビインターホン親機２には、カメラ付ドアホン子器１より来客映像の映像信号が送出されてくるので、後述する無線増設親機４への遅延時間を考慮した後、スイッチング回路Ｓ１を閉じて、スピーカＳＰより呼出音を出力し、更にスイッチング回路Ｓ３を閉じて、テレビモニタ２５に来客の映像を表示する。
【００２９】
テレビインターホン親機２は、この遅延時間の間、呼出信号と映像信号とを制御線Ｌ２、映像信号入力線Ｌ５を通じて無線アダプタ３に送出して、無線アダプタ３からは、呼出信号と映像信号とを無線信号でテレビインターホン無線増設親機４に送出する。
【００３０】
これに対して、テレビインターホン無線増設親機４は、以下のように動作する。
【００３１】
すなわち、図２のフローチャート（１００〜１０５）は、第１の本発明におけるテレビインターホン無線増設親機４の映像表示制御手段４０Ａの基本動作を示すものである。
【００３２】
テレビインターホン無線増設親機４には、呼出信号を受信したときには（１００）、呼出信号に基づいて、スイッチング回路Ｓ４を閉じる一方で映像信号の蓄積受信を開始し（１０１）、呼出音を出力させ、更にメモリ４６より来客待ち画像を読み出し、スイッチング回路Ｓ６をマイコン４０側に接続すべくａ閉じとして、来客待ち画像をテレビモニタ４８に送出し表示させる（１０２）。ここに、来客待ち画像は、ユーザの好み応じて準備され、文字で特定のメッセージを表示するものであってもよく、静止画像、動画像を問わない。
【００３３】
この間、無線アダプタ３を通じて上記ステップ１０１の時点よりインターホン親機２から受信し続けている来客の映像信号を映像バッファ４７に順次蓄積し（１０１）、少なくとも来客映像の１フレーム分が蓄積されると（１０３）、スイッチング回路Ｓ６を映像バッファ４７側に接続すべくｂ閉じに切り換え（１０４）、受信した映像信号を映像バッファ４７から取り出してテレビモニタ４６で表示させる（１０５）。
【実施例２】
【００３４】
次に、第２の本発明について説明する。第２の本発明によれば、テレビインターホン親機は、無線増設親機との間で送受される電波信号を検知して、無線増設親機の存在を確認する手段を備えており、同手段によってテレビインターホン無線増設親機が周囲に存在していると判断された場合には、インターホン親機による呼出、来客映像表示動作を、無線増設親機の呼出、映像表示に同期させる来客映像遅延表示モードを実行するようにしている。
【００３５】
このため、第２の本発明では、テレビインターホン親機２Ａと、テレビインターホン無線増設親機４Ａとを設けている。
【００３６】
図３は、このようなテレビインターホン親機２Ａの基本構成の一例を示す図である。
【００３７】
このテレビインターホン親機２Ａでは、実施例１のテレビインターホン親機２と異なり、呼出／映像制御手段２２Ａと増設無線親機検出手段２２Ｂとをマイコン２２によって構成している。
【００３８】
呼出／映像制御手段２２Ａは、増設無線親機検出手段２２Ｂが周囲にテレビインターホン無線増設親機４が存在すると判断した場合に、以下のような来客映像遅延表示モードを実行する。
【００３９】
増設親機検出手段２２Ｂは、無線アダプタ３と連携して、テレビインターホン無線増設親機４が存在するかの判定処理を行う。そのため、タイマ計時機能を設けている。
【００４０】
一方、図４は、テレビインターホン無線増設親機４Ａの基本構成の一例を示している。
【００４１】
このテレビインターホン無線増設親機４Ａでは、呼出／映像表示制御手段４０Ｂをマイコンで構成し、スイッチング回路Ｓ７を備えている。
【００４２】
マイコン４０は、無線アダプタ３を通じてテレビインターホン親機２Ａから存在確認要求を受信したときには、存在確認通知を返信する。
【００４３】
呼出／映像表示制御手段４０Ｂは、無線アダプタ３から呼出信号と、来客映像とを受信し、来客映像の少なくとも１フレーム分を蓄積したときには、受信確認通知を無線アダプタ３を通じテレビインターホン親機２Ａに送出する。
【００４４】
スイッチング回路Ｓ７は、マイコン４０により制御され、映像信号を１フレーム分受信したときには閉じて、テレビモニタ４８に来客映像を表示する。図４では図示されていないが、第１の発明と同様に、映像バッファを設けてあってもよい。
【００４５】
図５は、第２の本発明におけるテレビインターホン無線増設親機４Ａの存在判定処理動作を示し、図６は、存在判定処理動作を行う際の無線アダプタ３の動作を示すフローチャート（２００〜２０８）である。
【００４６】
これら図を参照して説明すると、テレビインターホン親機２Ａは、電源起動時には、無線アダプタ３に対してテレビインターホン無線増設親機４Ａの存在確認要求を行い、無線アダプタ３はこれをテレビインターホン無線増設親機４Ａに無線信号で送出する。
【００４７】
すると、テレビインターホン無線増設親機４Ａが無線信号の伝播範囲内に存在すれば、存在確認通知が無線アダプタ３に返信され、テレビインターホン親機２Ａに到達する。存在確認通知を受けたテレビインターホン親機２Ａは、来客映像遅延表示モードを実行するよう設定される。
【００４８】
なお、操作部２４での設定操作により、来客映像遅延表示モードの実行を行うか行わないかを設定できるようにしてもよい。
【００４９】
一方、テレビインターホン無線増設親機４Ａが無線アダプタ３の無線信号の伝播範囲内に存在しない場合には、存在確認通知が無線アダプタ３に返信されず、このとき、無線アダプタ３からは、不在確認通知がテレビインターホン親機２Ａに送出されこのとき、テレビインターホン親機２Ａは来客映像遅延表示モードを実行しない。
【００５０】
このような処理を行う中で、無線アダプタ３は、図６の処理を行う。すなわち、テレビインターホン親機２Ａから存在確認要求を受信すると（２００）、これを無線信号で送出する（２０１）。このとき、タイマを起動させ、時間Ｔ１の計時を開始する（２０２）。
【００５１】
時間Ｔ１がタイムアウトするまでに（２０６）、存在確認通知をテレビインターホン無線増設親機４Ａから返信された場合には（２０３）、テレビインターホン親機２Ａに存在確認通知を送出し（２０４）、タイマを停止しリセットする（２０５）。
【００５２】
一方、タイムアウトしても（２０６）、存在確認通知が返信されない場合には、タイマを停止しリセットさせ（２０７）、テレビインターホン親機２Ａに不在確認通知を送出する（２０８）。
【００５３】
なお、ステップ２００〜２０８の一連の処理は、テレビインターホン親機２Ａから存在確認要求を受けた後、所定時間単位で、繰り返し行っても良い。
【００５４】
また、テレビインターホン親機２Ａが、上記のように能動的にテレビインターホン無線増設親機４Ａの存在確認を行うのではなく、テレビインターホン無線増設親機４Ａが所定時間間隔で存在確認通知を無線アダプタ３を通じてテレビインターホン親機２Ａに送出するように、テレビインターホン親機２Ａが受動的にテレビインターホン無線増設親機４Ａの存在を判別してもよい。
【００５５】
図７は、第２の本発明における来客映像遅延表示モードの一例を示すフローチャートである（３００〜３０６）。
【００５６】
テレビインターホン親機２Ａは、カメラ付ドアホン子器１から呼出をうけ、来客映像の映像信号が送出されてくると（３００）、無線アダプタ３を通じて、呼出信号、映像信号をテレビインターホン無線増設親機４Ａに送出する（３０１）。
【００５７】
テレビインターホン無線増設親機４Ａでは、映像信号の少なくとも１フレーム分を受信すれば（３０２）、受信確認通知を送出し（３０３）、呼出音出力、来客映像表示を行う（３０４）。
【００５８】
これを受けたテレビインターホン親機２Ａでは（３０５）、呼出音を出力し、来客映像表示を行う（３０６）。
【００５９】
第２の本発明では、以上のような動作をなす結果、テレビインターホン親機２Ａとテレビインターホン無線増設親機４Ａの呼出音出力と映像表示が、同期して行われ、映像表示の遅延感を緩和できる。
【図面の簡単な説明】
【００６０】
【図１】第１の本発明の基本構成の一例を示すブロック図
【図２】第１の本発明の基本動作の一例を示すフローチャート
【図３】第２の本発明におけるテレビインターホン親機の基本構成の一例を示すブロック図
【図４】第２の本発明におけるテレビインターホン無線増設親機の基本構成の一例を示すブロック図
【図５】第２の本発明におけるテレビインターホン無線増設親機の存在判定動作を示す図
【図６】第２の本発明における無線アダプタの動作の一例を示すフローチャート
【図７】第２の本発明の基本動作の一例を示すフローチャート
【符号の説明】
【００６１】
２，２Ａ  テレビインターホン親機
３  無線アダプタ
４，４Ａ  テレビインターホン無線増設親機
２２Ａ  呼出／映像制御手段
２２Ｂ  増設親機検出手段
２５，４８  モニタテレビ
４０Ａ  映像表示制御手段
４０Ｂ  呼出／映像表示制御手段
４６  メモリ
４７  映像バッファ
Ｌ１  ２線式信号線
【図１】
2006270782.tif 000003
【図２】
2006270782.tif 000004
【図３】
2006270782.tif 000005
【図４】
2006270782.tif 000006
【図５】
2006270782.tif 000007
【図６】
2006270782.tif 000008
【図７】
2006270782.tif 000009